(57)【特許請求の範囲】
【請求項１】
浴水を浴槽と清浄化機構の間を循環させて浄化する浴水清浄化装置において、
前記浴水を導入し、加熱して高温水とし蓄え、前記浴水の導入により該高温水を導出する蓄熱槽と、
前記浴水を蓄熱槽へその底部から導入する蓄熱槽導入管路と、
該蓄熱槽の上部から前記高温水を導出する高温水管路と、
前記高温水管路からの高温水と浴水を混合するためのミキシングバルブと、
前記蓄熱槽導入管路から分岐して、該ミキシングバルブに浴水を導入するための浴水管路と、
該ミキシングバルブからの湯を浴槽へ供給するための供給管路と、
前記蓄熱槽導入管路と浴水管路の分岐点より浴槽側に設けられ、加温が必要なときに浴水を前記蓄熱槽導入管路と浴水管路とに供給する加温バルブと、を有し；
前記ミキシングバルブを前記蓄熱槽からの高温水管路の出水口よりも高い位置に設け、
前記浴水管路のミキシングバルブへの入水部を前記高温水管路よりも高い位置に設けた；
ことを特徴とする浴水浄化装置。
【発明の詳細な説明】
【０００１】
【発明の属する技術分野】
この発明は浴水浄化装置に関する。
浴槽の湯を汲み上げて所定の浄化機構に通した上で、再び浴槽に戻す行程を繰り返して、浴槽の湯を絶えず清浄に保つ浴水浄化装置が近年広く普及している。
このような浴水浄化装置においては、循環ポンプにより浴水を強制的に循環させ、活性炭等によるろ過やオゾン等による殺菌を行うと同時に電気ヒータにより所定の温度を保つようになっている。
しかし、電気ヒータ等を用いて保温を行う場合には、コストが高くなる問題があり、近年深夜電力や太陽熱等の比較的安いエネルギを用いて高温水を得て、これを蓄熱槽に溜めておき、適宜この高温水により浴水の温度を維持する構成のものが提案されている。
このシステムにおいては、蓄熱槽の下部から蓄熱槽導入管路により浴水を導入し、上部から高温水を供給するようになっており、該高温水は通常９０℃程度の高温であり、これを直接浴槽に導入すると火傷等の危険があるため、この高温水を前記蓄熱槽導入管路から分岐させて導入した浴水とミキシングバルブにより混合し、所定の温度まで下げたうえで浴槽に導入するようになっている。
【０００２】
【発明が解決しようとする課題】
上記した構成において、加熱により浴水中の空気が次第に蓄熱槽の上部に溜まり、この空気により高温水がミキシングバルブへと供給されなくなる問題があることが研究開発の過程で明らかになってきた。
本発明はこの問題点を解決することを目的とする。
【０００３】
【課題を解決するための手段】
上記目的を達成するために本発明は、浴水を浴槽と清浄化機構の間を循環させて浄化する浴水清浄化装置において、前記浴水を導入し、加熱して高温水とし蓄え、前記浴水の導入により該高温水を導出する蓄熱槽と、前記浴水を蓄熱槽へその底部から導入する蓄熱槽導入管路と、該蓄熱槽の上部から前記高温水を導出する高温水管路と、前記高温水管路からの高温水と浴水を混合するためのミキシングバルブと、前記蓄熱槽導入管路から分岐して、該ミキシングバルブに浴水を導入するための浴水管路と、該ミキシングバルブからの湯を浴槽へ供給するための供給管路と、前記蓄熱槽導入管路と浴水管路の分岐点より浴槽側に設けられ、加温が必要なときに浴水を前記蓄熱槽導入管路と浴水管路とに供給する加温バルブと、を有し、前記ミキシングバルブを前記蓄熱槽からの高温水管路の出水口よりも高い位置に設け、前記浴水管路のミキシングバルブへの入水部を前記高温水管路よりも高い位置に設けたことを特徴とする。
上記構成により、蓄熱槽の上部に空気が溜まっても、高温水の供給が停止することがない。
【０００４】
【発明の実施の形態】
以下本発明の実施の形態を図面に基づいて説明する。
図１において、この浴水循環装置は、浴槽１０と浴槽出水管路１２及び浴槽入水管路１８によりつながっている。浴槽出水管路１２の先の浴槽内には、プレフィルター１１を内蔵した吸水口が接続され、髪の毛等を取り除いた浴水が本体に吸い込まれるようになっている。
【０００５】
浴槽出水管路１２の他方の本体内には、循環ポンプ１３が取り付けられ、この循環ポンプ１３により浴水を殺菌灯１５、濾過タンク１６へと送り、加温バルブ１７を経由して浴槽入水管路１８からノズル２０を介して浴水を再び浴槽１０へと戻すようになっている。
ノズル２０にはオゾン発生器１９が接続され、適宜オゾンを出して浴水を殺菌できるようになっている。
なお循環ポンプ１３には並列に水不足センサ１４が設けられ、浴水の水位低下を検出できるようになっている。この水不足センサ１４は循環ポンプ１３の差圧を検知する方式のもので、一方のチューブは循環ポンプ１３入水側に、他方のチューブは循環ポンプ９出水側に接続されている。
【０００６】
加温バルブ１７は浴槽入水管路１８に連結すると共に蓄熱槽導入管路６に連結し、浴水の加温が必要なときに浴水を蓄熱槽導入管路６側に供給するようになっている。
蓄熱槽５は内部に深夜電力による加熱ヒータを有し、導入した浴水を所定温度まで加熱して蓄えてある。ここに蓄熱槽導入管路６から浴水が導入されると、上部の高温水管路２から高温水を出水するようになっている。高温水管路２はミキシングバルブ３へと連結し、ここで高温水と浴水を混合するようなっている。
なお、蓄熱槽５の下部から導入される浴水（４０°Ｃ程度）と高温水は密度が異なるため、蓄熱槽５内では混合せず、浴水の導入に伴って、上部の高温水が順次高温水管路２から出水するようになっている。
【０００７】
蓄熱槽導入管路６には逆止弁２１が設けられ、この蓄熱槽５側で蓄熱槽導入管路６は浴水管路１へと分岐するようになっている。浴水管路１は前記ミキシングバルブ３に接続し、前記したように高温水管路２からの高温水と浴水管路１からの浴水がこのミキシングバルブ３で混ぜられ、高温水を適当な温度まで下げ供給管路４を介して浴槽入水管路１８へと出水するようになっている。この浴槽入水管路１８に導入される高温の混合水により浴水の加温が行われるようになっている。
【０００８】
以上の構成において、ミキシングバルブ３は高温水管路２の高温水出水口４０よりも高い位置に取り付けられている。
高温水管路２は高温水出水口４０から立上部４１、高温水入水部４２を経て高温水入水口４３によりミキシングバルブ３に連結するようになっており、ミキシングバルブ３の高温水入水口４３の位置が高温水出水口４０の位置よりもｈだけ高くなるようになっている。
また、浴水管路１は高温水管路２よりも高い位置に設置されている。即ち浴水管路１は浴水入水部３０から立下部３１を経て浴水入水口３２においてミキシングバルブ３と接続しており、この浴水入水部３０が高温水管路２よりも高い位置に設置されている。高温水管路２の高温水入水部４２と浴水入水部３０との間にはＨの高低差を設けてある。
【０００９】
図２と図３により、動作を説明する。
図３においては、ミキシングバルブ３’は蓄熱槽５’の出水口よりも低い位置に設置され、また浴水管路１’は高温水管路２’よりも低い位置でミキシングバルブ３’に入水している。このような構成において、浴水が蓄熱槽導入管路６’から蓄熱槽５’と浴水管路１’に同時に導入され、蓄熱槽５’内の高温水が導入される浴水の圧力により、高温水管路２から出水しようとする。しかし、浴水管路１’からの浴水が既にミキシングバルブ３’に導入されているため、蓄熱槽５’の上部と高温水管路２’に溜まったエアーにより、高温水が出水されず、ミキシングバルブ３’に供給されないことになる。
【００１０】
これに対して、図２に示すように本発明の実施形態では、浴水が蓄熱槽導入管路６と浴水管路１に導入され、蓄熱槽５内の高温水と浴水管路１の浴水の水位が同時に上がっても、ミキシングバルブ３の浴水入水部３０の位置が高いため、高温水が先に高温水管路２を満たしミキシングバルブ３に供給される。これにより蓄熱槽５にエアーが溜まっていても、通常の場合と同様にミキシングバルブ３における高温水と浴水の混合がなされ、円滑に浴水の加温が行われる。
【００１１】
【発明の効果】
以上説明したように本発明の浴水浄化装置によれば、蓄熱槽にエアーが溜まっても、高温水の供給が停止することなく、円滑な加温が実行できる。しかも、ミキシングバルブ３と浴水管路１及び高温水管路２の位置関係を厳密に設定するだけで良く、新たな装置や部材などを必要とせず、高コストを招かない等の効果がある。
【図面の簡単な説明】
【図１】本発明の一実施形態を示す概略ブロック図。
【図２】本発明の一実施形態の動作説明図。
【図３】従来の装置の一例の動作説明図。
【符号の説明】
１：浴水管路、２：高温水管路、３：ミキシングバルブ、４：供給管路、５：蓄熱槽、６：蓄熱槽導入管路、１０：浴槽、１１：プレフィルタ、１２：浴槽出水管路、１３：循環ポンプ、１４：水不足センサ、１５：殺菌灯、１６：濾過タンク、１７：加温バルブ、１８：浴槽入水管路、１９：オゾン発生器、２０：ノズル、２１：逆止弁、３０：浴水入水部、３１：立下部、３２：浴水入水口、４０：高温水出水口、４１：立上部、４２：高温水入水部、４３：高温水入水口。
【図１】
0003739857.tif 000002
【図２】
0003739857.tif 000003
【図３】
0003739857.tif 000004